(57)【要約】【課題】椅子同様に簡便に設置・使用でき、腰掛時に座面の傾斜化を伴わない安定した揺動運動を、膝や足首を動かすのみで駆動装置やストッパー無しに実現できる軽エクササイズ用椅子を提供する。【解決手段】腰掛体３とそれに腰掛けた人体Ａとを吊り下げて支えるに足る支持体１の上部において人体Ａの両脇肘乗せ箇所に水平支持部１ａを設け、該水平支持部１ａの下方箇所に腰掛体３を水平配置するとともに、その両者を、側部の各前後２箇所に所定同間隔をおいて設けられた回転軸２を介して同長の吊体４で回動可能状に連結して腰掛体を吊り下げることにより、互いに平行な２本の吊体４と水平支持部１ａ及び腰掛体３の側部とで形成される図形が平行四辺形ないし長方形を呈するようにする。【選択図】図１
0003204232.tif 000002
【実用新案登録請求の範囲】
【請求項１】
腰掛体とそれに腰掛けた人体とを吊り下げて支えるに足る支持体の上部において人体の両脇肘乗せ箇所に水平支持部を設け、該水平支持部の下方箇所に該腰掛体を水平配置するとともに、該水平支持部と該腰掛体を側部の各前後２箇所に所定同間隔をおいて設けられた回転軸を介して同長の吊体で回動可能状に連結することにより、互いに平行な２本の吊体と水平支持部及び腰掛体の側部とで形成される図形が平行四辺形ないし長方形を呈するようにしたことを特徴とする前後揺動椅子。
【考案の詳細な説明】
【技術分野】
【０００１】この考案は、心身の不用性衰退現象を防止するために、使用感の良い揺動運動ができる前後揺動椅子に関する。
【背景技術】
【０００２】近年における生活空間の便利化や椅子に座る時間の長期化などによる運動不足、とりわけ足腰の不使用時間の長期化は、膝や腰などの関節や筋肉等の退縮を遠因とする膝痛や腰痛、更には様々な生活習慣病に悩む人を増やすような結果となっており、とくにそれは高齢者にとって深刻な問題となっている。【０００３】その対策として、いわゆる貧乏揺すりを奨励する学説もあるほどであるが、さすがにこれはあまり実行しかねるので、様々な運動補助具が考案されて既に各種商品化されているのは周知の通りである。【０００４】但し椅子として使用できるものとしては、着地部が弓状に湾曲した揺り椅子やブランコ以外にこれといったものは未だ見当たらないのが現状である。
【考案の開示】
【考案が解決しようとする課題】
【０００５】上記の揺り椅子やブランコはいずれも使用者に回転（揺動）運動を与えるものであって、前者は上半身の動きのみ大きく要求され、またその状態で楽にＴＶ等を観たりすることは困難であり、後者も屋内では場所をとりすぎるばかりか、座部の角度が往復運動に伴い変動するために落ち着いて使用できるものではない。【０００６】本考案はこのようなものとは異なり、通常の椅子と同じように設置・使用でき、使用時に座面の傾斜化を伴うことなく安定した揺動運動を駆動装置やストッパー無しに実現できる軽エクササイズ用椅子を提供することを課題とする。
【課題を解決するための手段】
【０００７】図面に示すように、腰掛体３とそれに腰掛けた人体Ａとを吊り下げて支えるに足る支持体１の上部において人体Ａの両脇肘乗せ箇所に水平支持部１ａを設け、該水平支持部１ａの下方箇所に腰掛体３を水平配置するとともに、その両者を、側部の各前後２箇所に所定同間隔をおいて設けられた回転軸２を介して同長の吊体４で回動可能状に連結して腰掛体を吊り下げることにより、互いに平行な２本の吊体４と水平支持部１ａ及び腰掛体３の側部とで形成される図形が平行四辺形ないし長方形を呈するようにする。【０００８】図面では左側面のみ提示しているが、右側面も同様であることは勿論であり、従って回転軸２は合計８箇所、吊体４は４本、水平支持部１ａは２箇所存在することになる。【０００９】回転軸２の軸受けはボールベアリング、吊体４は棒ないし板状体が好ましい。また吊体４が幅広の板体である場合は、前記の形成される図形は４個の回転軸２を繋ぐ直線で形成される図形を意味するものとする。【００１０】図面では水平支持部１ａは支持体１の上方から前方（座った人体から見て）水平方向に突出形成した棒状体として提示され、また支持体１の着地部１ｂは支持体１の下端より前方水平方向に伸びるものとして提示されているが、勿論そのように限定する必要はなく、水平支持部１ａの前端から補強を兼ねて支柱を設け、その下端を着地部としてもよい。【００１１】腰掛体３に腰掛けた人体Ａは、使用する際に肘や手を水平指示部１ａに乗せ、足を着地部１ｂの前方に位置する足掛部１ｃに乗せるのを通常とする。足掛部１ｃはその上面をやや前上がりに傾斜させて滑り止め状にすることが好ましく、必要に応じ、その傾斜角度を変化可能状にしたり、或いは振動装置を設けたりして、足首や膝などに運動刺激を与えるようにすることは自由である。
【考案の効果】
【００１２】本考案の前後揺動椅子を使用するにあたり、図１のように人体Ａが中央位置にあるときには、互いに平行な一対の吊体４は水平指示体１ａ及び水平な腰掛体１ｂに対し垂直状態にあり、１ａと１ｂ間の距離は最大、すなわち１ｂは最低の位置にある。【００１３】ところが（手肘や足を使って）図２のように（或いは図３のように）体を前方に（或いは後方に）移動させると、吊体４は斜めとなり、その内側に形成される長方形は平行四辺形となって１ａと１ｂ間の距離は減少、１ｂの位置が上昇する。【００１４】その位置では運動エネルギーが位置エネルギーに変換されるから、ブレーキやストッパーを要することなく動きは止まり、駆動装置を要することなく再び逆方向に動いてまた反対位置で止まり、この揺動を繰り返すことになる。【００１５】その際、ブランコや揺り椅子と異なり、腰掛体３は常に水平状態を保っているから、人体上半身を垂立状態にし足を足掛部に着けたまま膝や足首の動きのみで揺動状態を継続的に維持することが容易にできる。【００１６】すなわち下半身の衰えや疾患の予防に望ましいとされる膝関節や足首の過剰負担にならない程度の継続的な動きや刺激を与える軽エクササイズを抵抗感なく日常的に実現できるという効果がある。
【考案を実施するための最良の形態】
【００１７】腰掛けた人体Ａの両肘を乗せられる位置に水平支持部１ａがくるような床上に載置できる支持体１を角形中空金属パイプで形成し、その水平支持部１ａにの前後に３０〜４０ｃｍ位の間隔を隔てて回転軸２又は軸受けを設けるとともに、その下方の腰掛けるに適した高さに腰掛体３を水平設置させる同長一対の吊体４の上端部にも軸受け又は回転軸２を設けてこれらを回動可能状に連結し、更に腰掛体３の外側部の前後にも同様に３０〜４０ｃｍ位の間隔を隔てて回転軸２又は軸受けを設けるとともに、上記吊体４の下端部に設けられた軸受け又は回転軸２と回動可能状に連結する。なお該軸受けには原則としてボールベアリングを使用するものとする。【００１８】上記水平支持部１ａの前後は支持体１を構成する支柱（図面では前方のものを省略）によって支えられ、下端は床面に着地する。また腰掛体３は座り心地の良い板状体を原則とし、足掛部１ｃは好ましくは支持体１と一体化させ、その上面は約１５度上り傾斜した滑り止め状に形成する。なお必要に応じ、その部分は固定させずに傾斜角度を任意に変えられるようにして、アキレス腱などのトレーニングができるようにしたり、或いは振動装置を取り付けたりするものとする。
【産業上の利用可能性】
【００１９】本考案の前後揺動椅子は、健康志向の高まりや使用感の良さからもニーズが大きく、製造も容易であるから、産業上の利用可能性は十分にある。
【図面の簡単な説明】
【００２０】
【図１】本考案一例の一状態を示す側面図
【図２】本考案一例の別状態を示す側面図
【図３】本考案一例の更に別状態を示す側面図
【符号の説明】
【００２１】１……支持体
１ａ……水平支持部
１ｂ……着地部
１ｃ……足掛部
２……回転軸
３……腰掛体
４……吊体
Ａ……人体
【図１】
0003204232.tif 000003
【図２】
0003204232.tif 000004
【図３】
0003204232.tif 000005